(57)【要約】【課題】プルリングにより開封するタイプの注出口であって、キャップを開けなくてもプルリングの有無を一目で確認することができる注出口を提供すること。【解決手段】注出口本体１０の筒状部１１はその外周に雄ねじが設けられており、筒状部１１の内側下方には環状の薄肉部１３を介して該筒状部１１の内部を塞ぐ封止膜１４が連設され、その封止膜１４の上部にはプルリング１６が連設されており、キャップ２０は注出口本体１１の筒状部外周の雄ねじに螺合する雌ねじを内周面に有しており、少なくともキャップ２０は透明性を有している。キャップで蓋をした状態のままでプルリングの有無を一目で確認することができる。【選択図】図１
2008001416.tif 000002
【特許請求の範囲】
【請求項１】
樹脂成形品からなる注出口本体と、同じく樹脂成形品からなり注出口本体の筒状部に被冠するキャップとで構成される注出口であって、注出口本体の筒状部はその外周に雄ねじが設けられており、筒状部の内側下方には環状の薄肉部を介して該筒状部の内部を塞ぐ封止膜が連設され、その封止膜の上部にはプルリングが連設されており、キャップは注出口本体の筒状部外周の雄ねじに螺合する雌ねじを内周面に有しており、少なくともキャップが透明性を有していることを特徴とする注出口。
【請求項２】
注出口本体におけるプルリングが着色樹脂で形成されていることを特徴とする請求項１に記載の注出口。
【発明の詳細な説明】
【技術分野】
【０００１】
本発明は、液体を収納する紙容器やその他の容器に取り付けて使用される注出口に関するものである。
【背景技術】
【０００２】
従来、例えばゲーベルトップ型の紙容器に取り付けられる注出口として、容器に設けられた孔に取り付けるためのフランジを下部周囲に備えた筒状部からなる注出口本体と、この注出口本体の筒状部に螺合によって被冠するキャップとからなり、注出口本体にはプルリングが備えられており、そのプルリングを引っ張ることによって注出口本体内に薄肉部を介して設けられた封止膜をその薄肉部から切断して注ぎ口を形成するように構成されたものが一般に広く使用されている。
【特許文献１】実開平０４−１０６２２３号公報
【発明の開示】
【発明が解決しようとする課題】
【０００３】
上記したタイプの注出口を構成する注出口本体とキャップは、両方ともにポリエチレン等の樹脂成形品からなる。そして、注出口本体は特に着色を施すことなく半透明のものが用いられているが、キャップの方は例えば赤や青の目立つ色に着色したものが使用されている。すなわち、従来の注出口は、目立つようにキャップが着色されており、容器に取り付けられた状態でその存在を消費者の目に訴える意味で好都合なものになっている。
【０００４】
しかしながら、プルリングが何らかの理由で引っ張られて開封されていたとしても、キャップを外さないとその開封状態が見えないという問題がある。したがって、消費者が購入後に開けてみたら、プルリングが既に開封されていたといったクレームが生じる一因となっていた。
【０００５】
本発明は、上記のような問題点に鑑みてなされたものであり、その目的とするところは、プルリングにより開封するタイプの注出口であって、キャップを開けなくてもプルリングの有無を一目で確認することができる注出口を提供することにある。
【課題を解決するための手段】
【０００６】
上記の目的を達成するため、本発明の注出口は、樹脂成形品からなる注出口本体と、同じく樹脂成形品からなり注出口本体の筒状部に被冠するキャップとで構成される注出口であって、注出口本体の筒状部はその外周に雄ねじが設けられており、筒状部の内側下方には環状の薄肉部を介して該筒状部の内部を塞ぐ封止膜が連設され、その封止膜の上部にはプルリングが連設されており、キャップは注出口本体の筒状部外周の雄ねじに螺合する雌ねじを内周面に有しており、少なくともキャップが透明性を有していることを特徴としている。
【０００７】
そして、上記の構成からなる注出口は、注出口本体におけるプルリングが着色不透明の樹脂で形成されている形態を採ることもできる。
【発明の効果】
【０００８】
本発明の注出口は、キャップが透明性を有しているので、キャップで蓋をした状態のままでプルリングの有無を一目で確認することができる。したがって、消費者は店頭においてプルリングの開封状態と未開封状態を認識しながら購入できることから、購入後にキャップを開けてみたらプルリングが既に開封されていたというクレームの発生を減少させることができる。
【発明を実施するための最良の形態】
【０００９】
次に、本発明の実施の形態について図面を参照しながら詳細に説明する。
【００１０】
図１〜４は本発明に係る注出口の一例を示すもので、図１は紙容器に取り付けた状態で示す斜視図、図２は注出口の断面図、図３は注出口を構成する注出口本体を示す断面図、図４は注出口を構成するキャップの断面図である。
【００１１】
これらの図に示すように、この注出口は、樹脂成形品からなる注出口本体１０と、同じく樹脂成形品からなり、注出口本体１０の筒状部１１に被冠するキャップ２０とで構成されており、この注出口は、図１に示すように、ゲーベルトップ型の紙容器Ｃに取り付けられるタイプである。
【００１２】
注出口本体１０は、紙容器に設けられた孔に取り付けるためのフランジ１２を筒状部１１の下部周囲に備えている。そして、注出口本体１０の筒状部１１はその外周に雄ねじ１１ａが設けられており、筒状部１１の内側下方には環状の薄肉部１３を介して筒状部１１の内部を塞ぐ封止膜１４が連設され、封止膜１４の上部には支柱１５を介してプルリング１６が連設されている。このプルリング１６は筒状部１１の高さより僅かに低くなっている。さらに、筒状部１１の雄ねじ１１ａの部分よりも下方には、フランジ１２から上方に紙容器の壁の厚さに相当する間隔をおいたところに複数の突起１７が設けられている。
【００１３】
キャップ２０は、注出口本体１０の筒状部外周の雄ねじ１１ａに螺合する雌ねじ２０ａを内周面に有している。また、キャップ２０には天面から垂下する筒状壁部２１が設けられており、この筒状壁部２１は、注出口本体１０の筒状部１１を内側から支持し、筒状部１１の外周面とキャップ２０の内周面の係合を確実にするとともに、プルリング１６を引っ張って開封した後のシール性を確保するようになっている。また、キャップ２０の外周面にはローレット２２が刻設されている。
【００１４】
上記のような注出口本体１０にキャップ２０を被冠してなる注出口を、紙容器の内側から紙容器に形成した取付孔に突起１７を乗り越えさせてフランジ１２を紙容器の壁に密着させ、その状態でフランジ１２を紙容器の壁に溶着することにより注出口は紙容器Ｃに取り付けられる。その後、紙容器Ｃには充填機により内容液が充填され、店頭に商品として陳列される。
【００１５】
このタイプの従来の注出口は、注出口本体を着色しないポリエチレン等の熱可塑性樹脂で形成し、キャップは赤や青などの目立つ色に着色したポリエチレン等の熱可塑性樹脂で形成している。これに対し、本発明の注出口は、少なくともキャップ２０に透明性を持たせるようにしている。ここでは、注出口本体１０とキャップ２０を、ともに着色しない通常のポリエチレン等の熱可塑性樹脂で形成することでキャップ２０に透明性を持たせている。したがって、図１の如くキャップ２０を閉じた状態のままでもキャップ２０の天面外側から中のプルリング１６が見えるのでその有無を一目で確認することができる。仮に何らかの理由でプルリング１６が既に開封されていれば、キャップ２０を開けなくてもそれを知ることができる。
【００１６】
なお、キャップ２０は完全に透明である必要はなく、中のプルリング１６が透けて見えさえすればよいものである。ただ、完全な透明に近い方がプルリング１６を確認しやすいことは言うまでもない。
【００１７】
上記の例では、注出口本体１０とキャップ２０を、ともに着色しない通常のポリエチレン等の熱可塑性樹脂で形成したが、キャップ２０だけを着色透明の熱可塑性樹脂で形成してもよい。例えば、キャップ２０が青色に着色された透明の樹脂からなる場合、キャップ２０の外からプルリング１６が見えるばかりでなく、涼しげな感じがするので、冷酒等の酒パックに好適である。
【００１８】
また、注出口本体１０を着色不透明の樹脂で形成したり、２色成形によりプルリング１６の部分のみを着色不透明の樹脂で形成してもよい。このような形態にした場合、キャップ２０が透明性を有しているので、着色された中のプルリング１６がハッキリと見えることになる。
【００１９】
なお、上記の実施の形態において、注出口本体はその下方周囲に紙容器に設けられた孔に取り付けるためのフランジを備えるが、そのように構成することに代えて注出口本体の下方部を例えばＰＥＴボトルの口部に螺着可能な構成にしてもよい。
【００２０】
以上、本発明の実施の形態について詳細に説明してきたが、本発明による注出口は、上記実施の形態に何ら限定されるものではなく、本発明の趣旨を逸脱しない範囲において種々の変更が可能であることは当然のことである。
【図面の簡単な説明】
【００２１】
【図１】本発明に係る注出口を紙容器に取り付けた状態で示す斜視図である。
【図２】本発明に係る注出口の一例を示す断面図である。
【図３】注出口を構成する注出口本体を示す断面図である。
【図４】注出口を構成するキャップの断面図である。
【符号の説明】
【００２２】
Ｃ  紙容器
１０  注出口本体
１１  筒状部
１１ａ  雄ねじ
１２  フランジ
１３  薄肉部
１４  封止膜
１５  支柱
１６  プルリング
１７  突起
２０  キャップ
２０ａ  雌ねじ
２１  筒状壁部
２２  ローレット
【図１】
2008001416.tif 000003
【図２】
2008001416.tif 000004
【図３】
2008001416.tif 000005
【図４】
2008001416.tif 000006